(57)【要約】【課題】無駄な空間を発生させること無く、光源をフレーム部材に配設できる表示装置を提供する。【解決手段】この表示装置１は、表示パネルに組み付けられるフレーム部材５と、フレーム部材５に配設された表示パネル照明用の光源７とを備え、フレーム部材５における光源７の配設される配設面５ｄには、光源７の高さｈよりも深い凹部３ｃが形成され、光源７は、凹部３ｃ内に配設される。【選択図】図１
2010009820.tif 000002
【特許請求の範囲】
【請求項１】
表示パネルに組み付けられるフレーム部材と、
前記フレーム部材に配設された表示パネル照明用の光源と、
を備え、
前記フレーム部材における前記光源の配設される配設面には、凹部が形成され、前記光源は、前記凹部内に配設されることを特徴とする表示装置。
【請求項２】
前記光源はフレキシブル基板に実装された状態で前記フレーム部材の前記凹部内に配設される場合において、
前記凹部の底面上には、前記フレキシブル基板の位置決め用の突起が形成され、
前記フレキシブル基板には、前記突起に係合する係合孔が形成されていることを特徴とする請求項１に記載の表示装置。
【請求項３】
前記凹部は前記光源の高さよりも深く形成されており、
前記光源の光を導光する導光板を更に備え、
前記導光板は、その一端側の入光面が、前記フレーム部材の前記配設面のうちの前記凹部の形成されていない部分に当接された状態で配置されることを特徴とする請求項１に記載の表示装置。
【請求項４】
前記フレーム部材の前記配設面のうちの前記凹部が形成されていない部分に、反射材が配設されることを特徴とする請求項１に記載の表示装置。
【発明の詳細な説明】
【技術分野】
【０００１】
本発明は、ノート型やデスクトップ型のパーソナルコンピュータ、テレビまたはモニターに使用される表示装置に関するものである。
【背景技術】
【０００２】
一般に、照明式の表示装置では、表示パネル照明用の光源（例えば点光源）は、表示パネルに組み付けられるフレーム部材に配設されている。その場合、従来では、そのフレーム部材の当該配設面は平坦に形成されており、その平坦な配設面上に光源が配設されている。
【０００３】
尚、この技術に関連する先行技術文献として特許文献１が知られている。
【０００４】
【特許文献１】特開２００７−１８０５２５号公報
【発明の開示】
【発明が解決しようとする課題】
【０００５】
従来の表示装置では、上記の様に、フレーム部材の平坦な配設面上に光源が配設されるので、当該配設面から光源が突出した状態となり、当該配設面における光源の配設されていない部分の空間が空き空間となり、その様な無駄な空間が発生するという問題点があった。
【０００６】
例えばエッジライト式の液晶表示装置の場合、バックライト用の光源は、フレーム部材の平坦な内側面に配設される。そのため、その内側面（配設面）における光源が配設されていない部分と、バックライト用の導光板との間に空き空間が発生し、その空き空間が無駄になっていた。
【０００７】
本発明は、上記のような問題点を解決するためになされたものであり、無駄な空間を発生させること無く、光源をフレーム部材に配設できる表示装置を提供することにある。
【課題を解決するための手段】
【０００８】
上記課題を解決する為には、本発明の第１の形態は、表示パネルに組み付けられるフレーム部材と、前記フレーム部材に配設された表示パネル照明用の光源と、を備え、前記フレーム部材における前記光源の配設される配設面には、凹部が形成され、前記光源は、前記凹部内に配設されるものである。
【発明の効果】
【０００９】
本発明の第１の形態によれば、フレーム部材の配設面に凹部が形成され、その凹部内に光源が配置されるので、当該配設面における光源の配設されていない部分に無駄な空間が生じる事を防止できる。即ち光源の配置スペースを小さくでき、装置の小型化に貢献できる。
【発明を実施するための最良の形態】
【００１０】
実施の形態１．
この実施の形態に係る表示装置１は、照明式の表示装置（ここではエッジライト式の液晶表示装置）であり、図１および図２の様に、表示パネルに組み付けられるフレーム部材（例えば樹脂フレーム）５と、フレーム部材５に配設されたバックライト用の光源（例えばＬＥＤ等の点光源）７と、フレーム部材５に配設されたバックライト用の矩形板状の導光板９とを備えている。
【００１１】
フレーム部材５は、平板状の基板部５ａと、基板部５ａの一辺側の周縁にその一辺に沿って立設された板状の光源配設部５ｂとを備えている。光源配設部５ｂには、その内側の主面（配設面）５ｄに、その主面の長手方向に沿って凹部５ｃが形成されている。この凹部５ｃは、光源７の高さｈ以上に深く形成されており、光源配設部５ｂの一端側で開放されている。尚、この凹部５ｃは、光源７の高さｈより低くしても良い。尚、この凹部５ｃは、例えばプレス加工により形成される。
【００１２】
光源７は、ＦＰＣ（フレキシブルプリント基板）１１上に実装されている。ＦＰＣ１１は、光源配設部５ｂの凹部５ｃの底面上に配置可能なサイズに形成されている。光源７は、ＦＰＣ１１に実装された状態で、光源配設部５ｂの凹部５ｃ内に配設されている。この配置状態では、光源７の上端面７ａは、光源配設部５ｂの配設面５ｄ以下の高さに位置している。
【００１３】
導光板９は、その一端面（入光面）９ｂが光源７に対向配置する様に、フレーム部材５に配設されている。また導光板９の背面９ａ側またはフレーム部材５の基板部５ａの内面５ｅには、導光板９の背面９ａからの射出光を反射するための反射シート等の光学シート（図示省略）が配設されている。
【００１４】
尚、表示パネル（ここでは液晶パネル）は、導光板９の前面９ｃ側に配置される。そしてその配置状態で、前記表示パネル、導光板９およびフレーム部材５が他のフレーム部材（例えば金属フレーム：図示省略）により前後から狭持される事で、前記表示パネル、導光板９およびフレーム部材５は互いに組み付けられる。
【００１５】
以上の様に構成された表示装置１によれば、フレーム部材５の配設面５ｄに凹部５ｃが形成され、その凹部５ｃ内に光源７が配置されるので、当該配設面５ｄにおける光源７の配設されていない部分に無駄な空間が生じる事を防止できる。即ち光源７の配置スペースを小さくでき、表示装置の小型化に貢献できる。また凹部５ｃを光源７の高さ以上の深さにすることで、表示装置の小型化に更に貢献できる。
【００１６】
尚この実施の形態において、凹部３ｃの数、形、深さ、大きさおよびその位置などについては、適宜変更しても良い。
【００１７】
実施の形態２．
この実施の形態に係る表示装置１Ｂは、図３および図４の様に、実施の形態１において更に、フレーム部材５の凹部５ｃの底面に、ＦＰＣ１１を位置決めする突起５ｆを形成したものである。
【００１８】
この実施の形態では、ＦＰＣ１１には、フレーム部材５の凹部５ｃに形成された突起５ｆが係合する係合孔１１ａが形成されている。即ち、フレーム部材５の凹部５ｃの突起５ｆをＦＰＣ１１の係合孔１１ａに押し込む様にして、ＦＰＣ１１をフレーム部材５の凹部５ｃ内に配置させるだけで、突起５ｆと係合孔１１ａとの係合により、ＦＰＣ１１が凹部５ｃ内に位置決め固定される。
【００１９】
以上の様に構成された表示装置１Ｂによれば、フレーム部材５の凹部５ｃの底面に突起５ｆが形成されると共にＦＰＣ１１に係合孔１１ａが形成されるので、突起５ｆを係合孔１１ａに押し込むだけで（即ち簡単に）、ＦＰＣ１１を凹部５ｃ内に位置決め固定できる。
【００２０】
尚この実施の形態において、突起１１ａの数、形、深さ、大きさおよびその位置などについては、適宜変更しても良い。
【００２１】
実施の形態３．
この実施の形態に係る表示装置１Ｃは、図５の様に、実施の形態１または２において更に、フレーム部材５の配設面５のうちの凹部３ｃ以外の平坦部分に導光板９の一端面（入光面）９ｂを当接させることで、配設面５ｄの平坦部分５ｇを、導光板９を位置決めする置決め部材（光源７との対向方向の位置を決める部材）として用いる様にしたものである。
【００２２】
以上の様に構成された表示装置１Ｃによれば、フレーム部材５の配設面５ｄのうちの凹部５ｃ以外の平坦部分５ｇを導光板９の位置決め部材として用いるので、導光板９の位置決め用の部材を別途用意する必要が無くなり、構造を簡単化できる。
【００２３】
実施の形態４．
この実施の形態に係る表示装置１Ｄは、図６の様に、実施の形態３において更に、フレーム部材５の配設面５ｄの平坦部分５ｇに反射材（例えば反射シート）１３を配設し、その反射材１３を介して、導光板９の一端面９ｂを平坦部分５ｇに当接させたものである。尚、反射材１３は、光源７からの光を効果的に光源７の前方（紙面の上方）に伝搬させるためのものである。
【００２４】
以上の様に構成された表示装置１Ｄによれば、光源７からの光を効果的に光源の前方に伝達させる事ができる。
【００２５】
尚、反射材１３の種類、数、位置、その大きさなどについては、適宜変更しても良い。
【図面の簡単な説明】
【００２６】
【図１】実施の形態１に係る表示装置の側面視の構成概略図である。
【図２】実施の形態１に係る表示装置の斜めから見た構成概略図である。
【図３】実施の形態２に係る表示装置のフレーム部材の光源配設部の平面視図である。
【図４】実施の形態２に係る表示装置のフレーム部材の光源配設部のIV−IV断面図である。
【図５】実施の形態３に係る表示装置の側面視の構成概略図である。
【図６】実施の形態４に係る表示装置の側面視の構成概略図である。
【符号の説明】
【００２７】
１，１Ｂ，１Ｃ，１Ｄ  表示装置、５  フレーム部材、５ａ  基板部、５ｂ  光源配設部、５ｃ  凹部、５ｄ  配設面、５ｅ  内面、５ｆ  突起、５ｇ  平坦部分、７  光源、７ａ  光源の上端面、９  導光板、９ａ  背面、９ｂ  一端面（入光面）、９ｃ  前面、１１  ＦＰＣ、１１ａ  係合孔、１３  反射材、ｈ  光源の高さ。
【図１】
2010009820.tif 000003
【図２】
2010009820.tif 000004
【図３】
2010009820.tif 000005
【図４】
2010009820.tif 000006
【図５】
2010009820.tif 000007
【図６】
2010009820.tif 000008